(57)【特許請求の範囲】
【請求項１】
左右一対のリレーレンズ系のうちの一方のリレーレンズ糸を内部に配置した第１の円筒部材と、
他方のリレーレンズ系を内部に配置した第２の円筒部材と、
下部に顕微鏡本体が取付くように構成された顕微鏡取付部と上部に第１の双眼鏡筒が取付くように構成された鏡筒取付部とを有し、前記第１の円筒部材と前記第２の円筒部材の各々の一端側を、互いに平行となるように保存する第１のプリズムボックスと、
上部に第２の双眼鏡筒が取付くように構成された鏡筒取付部を有し、前記第１の円筒部材と前記第２の円筒部材の各々の他端側を、互いに平行となるように保持する第２のプリズムボックスと、
を備えたことを特徴とする実体顕微鏡用ディスカッション装置。
【請求項２】
左右一対のリレーレンズ系のうちの一方のリレーレンズ糸を内部に配置した第１の円筒部材と、
他方のリレーレンズ系を内部に配置した第２の円筒部材と、
下部に顕微鏡本体が取付くように構成された顕微鏡取付部と上部に第１の双眼鏡筒が取付くように構成された鏡筒取付部とを有し、前記第１の円筒部材と前記第２の円筒部材の各々の一端側を、互いに平行となるように保存する第１のプリズムボックスと、
上部に第２の双眼鏡筒が取付くように構成された鏡筒取付部を有し、前記第１の円筒部材と前記第２の円筒部材の各々の他端側を、互いに平行となるように保持する第２のプリズムボックスと、
前記第１の円筒部材と前記第２の円筒部材を、架台焦準装置へ着脱可能に取付ける取付部材と、
を備えたことを特徴とする実体顕微鏡用ディスカッション装置。
【請求項３】
前記第１の円筒部材と前記第２の円筒部材は、同一形状に構成したことを特徴とする請求項１又は請求項２に記載の実体顕微鏡用ディスカッション装置。
【請求項４】
前記取付部材は、前記第１のプリズムボックスと前記第２のプリズムボックスの取付け位置を１８０°反転させた状態で、前記第１の円筒部材と前記第２の円筒部材を取付け可能であることを特徴とする請求項２に記載の実体顕微鏡用ディスカッション装置。
【発明の詳細な説明】
【０００１】
【発明の属する技術分野】
本発明は、実体顕微鏡にあって、複数の人が同一試料を同時に観察可能にする実体顕微鏡用ディスカッション装置に関する。
【０００２】
【従来の技術】
従来、２人の観察者が同時に同一の試料を観察できるようにした実体顕微鏡用ディスカッション装置は、実開平２−１４０５１５号公報に記載のもの等が公知であり、これを図７により説明する。
【０００３】
図７において、５０はディスカッション装置本体（実開平２−１４０５１５号公報では光路分割鏡筒）で、その左端部下面には顕微鏡本体５１が取付けられている。又、ディスカッション装置本体５０の左端部上面には第１の双眼鏡筒５３が取付けられ、右端部上面には第２の双眼鏡筒５４が取付けられている。第１の双眼鏡筒５３には接眼レンズ５５ａ，５５ｂが取付けられるとともに、第２の双眼鏡筒５４には接眼レンズ５６ａ，５６ｂが取付けられている。顕微鏡本体５１の下部には対物レンズ５２が取付けられており、このディスカッション装置本体５０は、架台５７に設けられた支柱５８に固定された焦準装置５９に取付部５０ａを介して上下動可能に係止されている。
【０００４】
このように構成された従来例にあっては、対物レンズ５２を出射した左右光路の光束はそれぞれ顕微鏡本体５１を通り、ディスカッション装置本体５０内に設けられた光分割器により、第１の双眼鏡筒５３の方向に向う光束と、第２の双眼鏡筒５４の方向に向う光束とに分割される。前記光分割器を射出し、第２の双眼鏡筒５４に向う左右光路の光束は、ディスカッション装置本体５０内に設けられた左右光路それぞれのリレーレンズ光学系及び反射鏡等を介して第２の双眼鏡筒５４に導かれる。
【０００５】
そして、第１の双眼鏡筒５３に取付けられた接眼レンズ５５ａ，５５ｂ及び第２の双眼鏡筒５４に取付けられた接眼レンズ５６ａ，５６ｂを覗くことにより２人の観察者が同時に同一試料を立体的に観察できる。
【０００６】
【発明が解決しようとする課題】
しかしながら、前述したように従来例にあっては、ディスカッション装置本体５０は、図７に示すように、長方体状枠で一体に構成するのが常であった。しかし、２人の観察者が並んで観察する並列型ディスカッション装置においては、第１の双眼鏡筒５３と第２の双眼鏡筒５４との間隔が５００〜６００ｍｍも必要で、長方体状枠が大きくなり、ディスカッション装置本体５０の長方体状枠を加工・製作するためには多大の工数を必要とし、高価になる欠点を有していた。
【０００７】
又、第２の双眼鏡筒５４においても立体像が観察できるようにするためには、前記長方体状枠内に左右それぞれ独立した２組のリレーレンズ系を設けなければならない。しかし、これらのリレーレンズ系を前記長方体状枠に直接取付けるようにすることは困難で、別にレンズ枠を設けて長方体状枠に取付けるようにしなければならず、その点でも高価となり、又レンズ間のアライメント精度も悪くなる欠点を有するものであった。
【０００８】
本発明は、上記従来技術の問題点に鑑みてなされたもので、２人の観察者間の間隔が長くなる並列型ディスカッション装置においても、容易に製作可能で、装置のコスト低減を可能とした実体顕微鏡用ディスカッション装置を提供することを目的とする。
【０００９】
【課題を解決するための手段】
前記課題を解決するために、本発明に係る請求項１の実体顕微鏡用ディスカッション装置は、左右一対のリレーレンズ系のうちの一方のリレーレンズ糸を内部に配置した第１の円筒部材と、他方のリレーレンズ系を内部に配置した第２の円筒部材と、下部に顕微鏡本体が取付くように構成された顕微鏡取付部と上部に第１の双眼鏡筒が取付くように構成された鏡筒取付部とを有し、第１の円筒部材と第２の円筒部材の各々の一端側、互いに平行となるように保存する第１のプリズムボックスと、上部に第２の双眼鏡筒が取付くように構成された鏡筒取付部を有し、第１の円筒部材と第２の円筒部材の各々の他端側を、互いに平行となるように保持する第２のプリズムボックスと、を備える。
【００１０】
そして、本発明に係る請求項２の実体顕微鏡用ディスカッション装置は、左右一対のリレーレンズ系のうちの一方のリレーレンズ糸を内部に配置した第１の円筒部材と、他方のリレーレンズ系を内部に配置した第２の円筒部材と、下部に顕微鏡本体が取付くように構成された顕微鏡取付部と上部に第１の双眼鏡筒が取付くように構成された鏡筒取付部とを有し、第１の円筒部材と第２の円筒部材の各々の一端側を、互いに平行となるように保存する第１のプリズムボックスと、上部に第２の双眼鏡筒が取付くように構成された鏡筒取付部を有し、第１の円筒部材と第２の円筒部材の各々の他端側を、互いに平行となるように保持する第２のプリズムボックスと、第１の円筒部材と第２の円筒部材を、架台焦準装置へ着脱可能に取付ける取付部材と、を備える。
【００１２】
本発明に係る請求項１の実体顕微鏡用ディスカッション装置にあっては、上記のように構成されているので、２人が並んで観察するディスカッション装置のように第１のプリズムボックスと第２のプリズムボックスとの間隔が長くなっても、両者を結合している円筒部材が長くなるのみで、円筒部材は多少長さが長くなっても製作は容易で安価に製造できる。なお、円筒部材はリレーレンズ系の挿入位置等により適宜分断され、継ぎ足し固定されるように構成されている。又、リレーレンズ系の各レンズは円筒部材内に固定されているので、構造が単純で安価に製造でき、各レンズ間のアライメント精度を確保し易い。
【００１３】
本発明に係る請求項２にあっては、２組の円筒部材を取付部材を介して架台焦準装置に取付けることにより、より確実な取付け固定が実現できる。その他の作用は請求項１の作用と同じである。
【００１５】
【発明の実施の形態】
［発明の実施の形態１］
本発明の実施の形態１を図１〜図４により説明する。
図１及び図２は本発明の実施の形態１の実体顕微鏡用ディスカッション装置を分断して示す一部断面とした平面図で、図１は第１のプリズムボックス側を示し、図２は第２のプリズムボックス側を示している。図３及び図４は図１及び図２におけるＡ−Ａ′断面図で、図３は第１のプリズムボックス側を示し、図４は第２のプリズムボックス側を示している。
【００１６】
図１〜図４において、１は第１のプリズムボックスで、その上部には鏡筒取付部１ａが設けられ、第１の双眼鏡筒１４が取付けられている。又、第１のプリズムボックス１の下部にはプリズム座２が一体に固定されている。プリズム座２の下面には顕微鏡本体取付部２ａを有し、顕微鏡本体１５が取付けられており、又プリズム座２の上面にはプリズム２２及び２２′が固定されている。プリズム２２及び２２′にはそれぞれビームスプリッター２１及び２１′が接合固定されている。又、第１のプリズムボックス１の側面部には第１のレンズ筒５，５′が平行に固定されており、第１のレンズ筒５，５′にはレンズ２３，２３′がそれぞれプリズム２２，２２′と対応する位置に固定されている。第１のレンズ筒５，５′内部には、レンズ２４，２４′をそれぞれ固定配置した移動レンズ筒６，６′がそれぞれ光軸方向へ移動可能に取付けられている。
【００１７】
第１のレンズ筒５，５′の一端部には中間筒７，７′が固定されており、中間筒７，７′の他端部には第２のレンズ筒８，８′が固定されている。第２のレンズ筒８，８′には、中間筒７，７′に固定する端部側にレンズ２５，２５′がそれぞれ固定されており、他端部には心出し筒９，９′がそれぞれ光軸と垂直方向に移動可能に取付けられている。心出し筒９，９′にはそれぞれレンズ２６，２６′が固定されている。
【００１８】
３は第２のプリズムボックスで、その側面部には第２のレンズ筒８，８′の端部が固定されている。第２のプリズムボックス３の上部には鏡筒取付部３ａが設けられ、第２の双眼鏡筒１６が取り付けられている。また、第２のプリズムボックス３の下面にはプリズム座４が一体に固定されている。プリズム座４にはプリズム２７及び２７′が固定されており、プリズム２７及び２７′にはそれぞれプリズム２８及び２８′が接合固定されている。
【００１９】
１０は架台１１の支柱１２に取付けられた焦準装置部１３への取付台で、取付台１０には中間筒７及び７′が平行に固定されている。すなわち、第１のレンズ筒５，５′、中間筒７，７′及び第２のレンズ筒８，８′をそれぞれ連結して直線状の２組の円筒部材が構成され、この２組の円筒部材を平行に配置して第１のプリズムボックス１と第２のプリズムボックス３の間を結合している。
【００２０】
次に、上記構成からなる顕微鏡用ディスカッション装置の作用を説明する。
本発明の実施の形態１の構成にあっては、不図示の対物レンズ及び顕微鏡本体１５を通った左右光路の光束ａ，ａは、ビームスプリッター２１及び２１′でそれぞれ図１紙面に平行な光束ｂ，ｂと垂直な光束ｃ，ｃとに２分される。垂直方向に進んだ左右光路の光束ｃ，ｃは第１のプリズムボックス１の上面に取付けられた第１の双眼鏡筒１４を通り、第１の双眼鏡筒１４に取付けられた左右の接眼レンズ（不図示）に至る。そして、第１の観察者が両眼で左右の接眼レンズを覗くことにより立体像を観察することができる。
【００２１】
一方、紙面に平行方向（水平方向）に進んだ左右光路の光束ｂ，ｂは、それぞれプリズム２２及び２２′で水平９０°方向に反射されてレンズ２３及び２３′に入射する。レンズ２３，２４及び２３′，２４′を通った光束はＯ及びＯ′位置に左右光路それぞれの中間像をつくり、レンズ２５及び２５′とレンズ２６及び２６′を通った光束は、それぞれプリズム２７及び２７′で水平９０°方向に反射され、さらにプリズム２７及び２７′からの光束はプリズム２８及び２８′で図２紙面と垂直方向に反射される。垂直方向に反射された左右光路の光束は第２のプリズムボックス３の上面に取付けられた第２の双眼鏡筒１６及び左右の接眼レンズ（不図示）により、第２の観察者が立体像を観察することができる。
【００２２】
なお、第２の観察者の観察像は、左右光路ともＯ又はＯ′位置に中間像を形成することにより、左右上下方向が反転され、さらにビームスプリッター２１又は２１′とプリズム２２又は２２′とプリズム２７又は２７′とプリズム２８又は２８′とで反射されて左右上下方向が反転するので元に戻り、第１の観察者の観察像と同じ向きとなる。
【００２３】
また、レンズ２４又は２４′が取付けられた移動レンズ筒６又は６′を移動することにより、左右光路それぞれ独立して結像位置の調節が可能であるので、構成部品の製作誤差による左右光路の結像位置のずれを補正できる。なお、移動レンズ筒６又は６′は調節後、第１のレンズ筒５又は５′に固定する。
【００２４】
さらに、レンズ２６又は２６′が固定された心出し筒９又は９′を光軸に垂直方向に移動することにより、左右光路の像心位置の調節がそれぞれ独立して可能であるので、構成部品の製作誤差や取付誤差による像心のずれを補正することができる。なお、心出し筒９又は９′も調節後第２のレンズ筒８又は８′にそれぞれ固定する。
【００２５】
また、左右光路を内蔵する第１のレンズ筒５と５′及び中間筒７と７′及び第２のレンズ筒８と８′をそれぞれ連結して構成される２組の円筒部材はそれぞれ共通（同一部材）であるので、レンズ２３及び２３′からプリズム座２下面の顕微鏡本体取付面までの光路長が左右光路で異なることになるが、顕微鏡本体１５を出射する光束はアフォーカル光束であるので問題を生じない。同様にレンズ２６及び２６′から第２のプリズムボックス３上面の鏡筒取付面までの光路長が左右光路で異なることになるが、レンズ２６及び２６′を出射する光束はアフォーカル光束であるので問題を生じない。
【００２６】
本発明の実施の形態１によれば、以下の効果を得ることができる。
第１に、２つのプリズムボックス１，３の間を継ぎ足し可能に構成した２組の円筒部材で結合するので、並列型ディスカッション装置のように、２つのプリズムボックス１，３間の間隔が大きくなっても、製作が容易で安価に製造できる。第２に、前記円筒部材内にリレーレンズ系を構成するので、レンズの保持が容易であり、各レンズ群間のアライメント精度が確保し易い。又、左右光路の同焦調整や光軸心調整の機構が、円筒部材内に容易かつ安価に構成できる。第３に、２組の円筒部材は互いに共通化可能であるので、この点でも装置のコスト低減に寄与できる。
【００２７】
［変形例］
本発明の実施の形態１においては、第１の観察者の右側に第２の観察者が位置するように例示されているが、取付台１０に対する中間筒７及び７′の取付位置を１８０°反転させて取付ければ、第１の観察者の左側に第２の観察者が位置するようにも容易に構成できる。
【００２８】
［発明の実施の形態２］
本発明の実施の形態２を図５及び図６により説明する。
図５は本発明の実施の形態２の実体顕微鏡用ディスカッション装置を一部断面にして示す平面図で、図６は図５におけるＢ−Ｂ′断面図である。なお、本実施の形態２における第２のプリズムボックス部は前記実施の形態１に示した図２及び図４と同じであるので、図示及び説明は省略する。又、実施の形態１と同一の構成要素には同一の番号を付し、その説明は省略する。
【００２９】
図５及び図６において、２０は内部に２本の中空部を平行に設けた取付座で、架台１１の支柱１２に取付けた焦準装置部１３に取付けられた取付台１０にビス等の固定部材により固定されている。取付座２０の中空部の一端には、第１のプリズムボックス１の側面に一端を固定した第１のレンズ筒５及び５′の他端が固定されている。又、取付座２０の中空部の他端には、一端に第２のレンズ筒８及び８′をそれぞれ固定した中間筒７及び７′の他端が第１のレンズ筒５及び５′の他端とそれぞれ対向するように固定されている。すなわち、第１のレンズ筒５，５′、取付座２０の中空部、中間筒７，７′及び第２のレンズ筒８，８′を直線的かつ平行に連結し、第１のプリズムボックス１と取付座２０及び取付座２０と第２のプリズムボックス３の間を第１のレンズ筒５，５′及び中間筒７，７′、第２のレンズ筒８，８′からなる２組の円筒部材で結合するように構成されている。その他の構成は前述した実施の形態１と同じである。
【００３０】
本実施の形態２にあっては、前記実施の形態１と同様の作用を有するので、その説明を省略する。
【００３１】
本発明の実施の形態２によれば、焦準装置部１３への取付台１０に対する固定が取付座２０を介して行われるため、取付面が広く、より確実な取付け固定ができる。その他の効果は実施の形態１と同じである。
【００３２】
［変形例］
取付台１０に対する取付座２０の向きを１８０°反転させて取付けるように構成し、第１の観察者と第２の観察者を左右反対に位置させることは、実施の形態１と同様、容易に可能である。
【００３３】
以上説明した本発明には、以下の構成が含まれている。
（１）下部に顕微鏡本体が取付くように構成された顕微鏡取付部と上部に第１の双眼鏡筒が取付くように構成された鏡筒取付部とを有する第１のプリズムボックスと、上部に第２の双眼鏡筒が取付くように構成された鏡筒取付部を有する第２のプリズムボックスとの間を複数の部材を連結してなる２組の円筒部材で結合し、該円筒部材内に左右光路それぞれのリレーレンズ系を構成したことを特徴とする実体顕微鏡用ディスカッション装置。
【００３４】
（２）前記円筒部材は、第１のプリズムボックスに連結され移動レンズ筒を内部に配置した第１のレンズ筒と、第２のプリズムボックスに連結され心出し筒を内部に配置した第２のレンズ筒と、第１のレンズ筒と第２のレンズ筒を連結する中間筒からなることを特徴とする前記構成（１）記載の実体顕微鏡用ディスカッション装置。
【００３５】
構成（１）、（２）にあっては、複数の部材を連結して円筒部材を構成することにより、円筒部材の製作が容易になる。また、実体顕微鏡の左右光路を形成するリレーレンズ系の円筒部材内への収納が容易になる。その他の作用は請求項１と同様である。
【００３６】
【発明の効果】
以上説明したように、本発明に係る実体顕微鏡用ディスカッション装置は、２つのプリズムボックスの間を２組の円筒部材で結合しているので、プリズムボックス間の間隔が大きくなっても製作が容易で安価に製造できる。また、円筒部材内にリレーレンズ系を構成するので、レンズの保持が容易であり、各レンズ群間のアライメント精度が確保し易い。さらに、左右光路の同焦調整や光軸心調整の機構が円筒部材内に容易かつ安価に構成できる。また、２組の円筒部材は互いに共通化可能であるので、装置のコスト低減に寄与できる等の利点を有するものである。
【図面の簡単な説明】
【図１】本発明の実施の形態１を分断して第１のプリズムボックス側を一部断面にして示す平面図である。
【図２】本発明の実施の形態１を分断して第２のプリズムボックス側を一部断面にして示す平面図である。
【図３】図１におけるＡ−Ａ′断面図である。
【図４】図２におけるＡ−Ａ′断面図である。
【図５】本発明の実施の形態２を分断して第１のプリズムボックス側を一部断面にして示す平面図である。
【図６】図５におけるＢ−Ｂ′断面図である。
【図７】従来例を示す斜視図である。
【符号の説明】
１  第１のプリズムボックス
１ａ，３ａ  鏡筒取付部
２，４  プリズム座
２ａ  顕微鏡本体取付部
３  第２のプリズムボックス
５，５′  第１のレンズ筒
６，６′  移動レンズ筒
７，７′  中間筒
８，８′  第２のレンズ筒
９，９′  心出し筒
１４  第１の双眼鏡筒
１５  顕微鏡本体
１６  第２の双眼鏡筒
２０  取付座
【図１】
0003841501.tif 000002
【図２】
0003841501.tif 000003
【図３】
0003841501.tif 000004
【図４】
0003841501.tif 000005
【図５】
0003841501.tif 000006
【図６】
0003841501.tif 000007
【図７】
0003841501.tif 000008